(57)【要約】      （修正有）【課題】既存の技術の不足に対する鮮度保持装置を提供する。【解決手段】本体ケーシング１０、空気吸込口２０、空気吹出口３０、ＵＶランプ４０、及び送風機５０を備え、前記本体ケーシングの一方の端部に前記空気吸込口が配置され、前記本体ケーシングの他方の端部に前記空気吹出口が配置される。前記送風機は前記本体ケーシングに前記空気吸込口と対応する位置に配置され、前記ＵＶランプは前記本体ケーシングの内腔に配置される。【選択図】図２
0003222910.tif 000002
【実用新案登録請求の範囲】
【請求項１】
本体ケーシング、空気吸込口、空気吹出口、ＵＶランプ、及び送風機を備える鮮度保持装置であって、
前記本体ケーシングの一方の端部に前記空気吸込口が配置され、前記本体ケーシングの他方の端部に前記空気吹出口が配置され、前記送風機は前記本体ケーシングに前記空気吸込口と対応する位置に配置され、前記ＵＶランプは前記本体ケーシングの内腔に配置される、ことを特徴とする、鮮度保持装置。
【請求項２】
前記本体ケーシングは、移動可能で長方形に構成されるケーシングである、請求項１に記載の鮮度保持装置。
【請求項３】
前記本体ケーシングに前記空気吹出口と対応する位置に配置されるフィルター材をさらに備える、請求項１に記載の鮮度保持装置。
【請求項４】
前記フィルター材は、触媒フィルター、活性炭フィルター、ＨＥＰＡフィルターから選ばれる少なくとも１つまたはそれらの組み合わせである、請求項３に記載の鮮度保持装置。
【請求項５】
前記ＵＶランプの波長帯域は、２５４ｎｍ及び１８５ｎｍである、請求項１に記載の鮮度保持装置。
【請求項６】
前記ＵＶランプの数量は２つであり、２つの前記ＵＶランプは互いに離間して横並びに配置される、請求項１に記載の鮮度保持装置。
【請求項７】
２つの前記ＵＶランプの波長帯域はいずれも２５４ｎｍ及び１８５ｎｍである、請求項６に記載の鮮度保持装置。
【請求項８】
一方の前記ＵＶランプの波長帯域は、２５４ｎｍであり、他方の前記ＵＶランプの波長帯域は、１８５ｎｍである、請求項６に記載の鮮度保持装置。
【請求項９】
前記本体ケーシングに前記空気吹出口と対応する位置に配置される別の送風機をさらに備える、請求項１に記載の鮮度保持装置。
【考案の詳細な説明】
【技術分野】
【０００１】
本考案は、鮮度保持装置に関し、特に低温密閉空間で保存される野菜、果物または花の鮮度保持に適する鮮度保持装置に関する。
【背景技術】
【０００２】
既存の野菜、果物または花に係る鮮度保持では、それらを低温密閉空間、例えば、冷蔵コンテナまたはスーパーの冷蔵庫に配置して、野菜、果物または花に含まれる代謝に関連する酵素の活性を抑制して、鮮度保持の目的を実現する。
【０００３】
なお、長時間的な冷蔵では、低温に耐えることができる細菌やウイルスの繁殖が避けられないため、冷蔵されても野菜、果物または花の腐敗や劣化を招きやすくなる恐れがある。そこで、本考案の発明者は、長年にわたり関連製品の開発および設計に取り組んできたが、上記の不足を改善することができると考え、研究に専念し、理論の適用に協力し、そして上記の欠陥を改善するために合理的かつ効果的な本考案を提案した。  
【考案の概要】
【考案が解決しようとする課題】
【０００４】
本考案が解決しようとする技術的課題は、既存の技術の不足に対する鮮度保持装置を提供することである。
【課題を解決するための手段】
【０００５】
上記の技術的課題を解決するために、本考案が採用する技術的手段の１つとしては、本体ケーシング、空気吸込口、空気吹出口、ＵＶランプ、及び送風機を備える鮮度保持装置を提供する。前記本体ケーシングの一方の端部に前記空気吸込口が配置され、前記本体ケーシングの他方の端部に前記空気吹出口が配置され、前記送風機は、前記本体ケーシングに前記空気吸込口と対応する位置に配置され、前記ＵＶランプは、前記本体ケーシングの内腔に配置される。
【０００６】
特定の好ましい実施形態において、前記本体ケーシングは、移動可能で長方形に構成される。
【０００７】
特定の好ましい実施形態において、前記鮮度保持装置は、さらにフィルター材を含む。前記フィルター材は、前記本体ケーシングに前記空気吹出口と対応する位置に配置される。
【０００８】
特定の好ましい実施形態において、前記フィルター材は、触媒フィルター、活性炭フィルター、ＨＥＰＡフィルターから選ばれる少なくとも１つまたはそれらの組み合わせである。
【０００９】
特定の好ましい実施形態において、前記ＵＶランプは、波長帯域が２５４ｎｍ及び１８５ｎｍである。
【００１０】
特定の好ましい実施形態において、前記ＵＶランプの数量は２つであり、２つの前記ＵＶランプは、互いに離間して横並びに設けられる。
【００１１】
特定の好ましい実施形態において、２つの前記ＵＶランプは、いずれの波長帯域も２５４ｎｍと１８５ｎｍである。
【００１２】
特定の好ましい実施形態において、前記ＵＶランプのいずれか一方の波長帯域が２５４ｎｍであり、前記ＵＶランプの他方の波長帯域が１８５ｎｍである。
【００１３】
特定の好ましい実施形態において、前記鮮度保持装置は、別の送風機をさらに含み、前記別の送風機は、前記本体ケーシングに前記空気吹出口と対応する位置に配置される。
【考案の効果】
【００１４】
本考案による有益な効果の１つとしては、本考案が提供する鮮度保持装置は、ＵＶランプ及び強力な送風機を有し、それにより、低温密閉空間の空気を吸い込みしてから殺菌を行って、最後に吹き出すことにより、低温に耐えることができる細菌とウイルスを直接殺して、低温に耐えることができる細菌とウイルスの繁殖を避けて、そして確かに果物と野菜の保存時間を延長することができる。
【図面の簡単な説明】
【００１５】
【図１】本考案による鮮度保持装置を示す斜視模式図である。
【図２】本考案による鮮度保持装置を示す部分分解模式図である。
【図３Ａ】本考案による鮮度保持装置の使用状態を示す模式図（一）である。
【図３Ｂ】本考案による鮮度保持装置の使用状態を示す模式図（二）である。
【図４】本考案による別の鮮度保持装置を示す斜視模式図である。
【考案を実施するための形態】
【００１６】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１７】
下記より、具体的な実施例で本考案に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１８】
図１、２を参照する。本考案は、鮮度保持装置を提供する。本考案が提供する鮮度保持装置１を構成する主要な構成要素は、本体ケーシング１０、空気吸込口２０、空気吹出口３０、ＵＶランプ４０、及び送風機５０などの要素である。また、本考案による鮮度保持装置１は、ニーズによってフィルター材６０を備えてもよい。
【００１９】
以下、本体ケーシング１０、空気吸込口２０、空気吹出口３０、ＵＶランプ４０、送風機５０、フィルター材６０について、より詳細な説明をして、互いの関係を紹介する。
【００２０】
本実施形態において、本体ケーシング１０は、移動可能で長方形に構成されるケーシングである。本体ケーシング１０の一方の端部に空気吸込口２０が配置され、本体ケーシング１０の他方の端部に空気吹出口３０が配置される。
【００２１】
ＵＶランプ４０は、本体ケーシング１０の内腔１１に配置され、ＵＶランプ４０の数量は１つ又は複数であってもよいが、本実施形態では、ＵＶランプ４０の数量は２つである。また、ＵＶランプ４０は、シングルチューブＵＶ−Ｃ（Ｕｌｔｒａｖｉｏｌｅｔ  ｒａｙ−Ｃ）ＵＶランプであってもよいし、マルチチューブＵＶ−ＣＵＶランプであってもよい。ＵＶランプ４０は、実際のニーズに応じてストレートチューブＵＶランプ、Ｈ字形チューブＵＶランプ、Ｕ字形チューブＵＶランプのいずれかに形成されてもよい。ＵＶランプ本実施形態では、ＵＶランプ４０の形態又は数量については制限されない。
【００２２】
本実施形態において、ＵＶランプ４０の波長帯域は、２５４ｎｍ及び１８５ｎｍである。なかでも、波長帯域が２５４ｎｍである紫外線は、空気中の細菌及びウイルスを直接に殺すことができ、波長帯域が１８５ｎｍである紫外線は、空気中の酸素（Ｏ２）をオゾン（Ｏ３）に転化して、オゾンの強酸化性によって空気中の細菌及びウイルスを殺すことができる。
【００２３】
本実施形態において、ＵＶランプ４０の数量は２つであり、２つのＵＶランプ４０は互いに離間して横並びに配置される。２つのＵＶランプ４０の波長帯域はいずれも２５４ｎｍ及び１８５ｎｍである。２つのＵＶランプ４０は、それぞれ波長帯域が２５４ｎｍ及び１８５ｎｍとなるＵＶランプであってもよい。
【００２４】
送風機５０は、本体ケーシング１０に空気吸込口２０と対応する位置に配置される。送風機５０は、強く吸気又は排気するように用いられている。それにより、例えば、冷蔵コンテナ、スーパーの冷蔵庫などの低温密閉空間の内容空気を本体ケーシング１０に強く吸い込んで、さらに紫外線照射エリアを経て、瞬く間に空気中の各種の細菌やウイルスを殺して、そして、波長帯域が１８５ｎｍに転化されたオゾンを強力に低温密閉空間の死角に送って、それにより、波長帯域が２５４ｎｍの紫外線が届かない箇所に殺菌及び消臭の効果を確実に実現する。
【００２５】
フィルター材６０は、本体ケーシング１０に空気吹出口３０と対応する位置に配置される。フィルター材６０は、例えば、経た空気から有害物質を吸い付けて濾過機能を持つフィルターである。詳しく言えば、フィルター材６０は、ホルムアルデヒド、ベンゼン、ＴＶＯＣ（揮発性有機化合物）を吸着分解する触媒フィルターであってもよい。それはまた、フィルター材６０は、臭気を迅速に吸着し、トルエンおよびベンゼンを分解するための活性炭フィルターであってもよい。また、フィルター材６０は、さらにＨＥＰＡフィルター（高性能フィルター）であってもよい。そのため、フィルター材６０は、単一フィルターまたは複合フィルターにすることができる。即ち、フィルター材６０は、触媒フィルター、活性炭フィルター、ＨＥＰＡフィルターから選ばれる少なくとも１つまたはそれらの組み合わせである。また、フィルター材６０に殺菌・カビ除去機能を持たせるようにナノ銀を塗布してもよい。フィルター材６０は、実際のニーズに応じて配置するかどうかにつき調整することができる。
【００２６】
鮮度保持装置１を使用する場合、実際のニーズに応じて、それを例えば冷蔵コンテナ（図３Ａに示すように）又はスーパーの冷蔵庫（図３Ｂに示すように）に配置することができる。勿論、生鮮品を売る自動販売機に配置してもよいが、上記の例に制限されない。作業中に、鮮度保持装置１は、送風機５０を介して低温密閉空間の内部の空気を強く本体ケーシング１０に吸い込んで、さらに本体ケーシング１０内のＵＶランプ４０に第１の波長帯域（２５４ｎｍ）の紫外線を発生させて、空気中の低温に耐えられる細菌及びウイルスを殺し、そして、送風機５０を介してＵＶランプ４０に発生された第２の波長帯域（１８５ｎｍ）の紫外線によって転化したオゾンを、強力に低温密閉空間の死角に送って、第１の波長帯域（２５４ｎｍ）の紫外線が届かない箇所を滅菌する。それにより、低温に耐えられる細菌やウイルスによる果物や野菜の腐敗又は変質を抑制して、確実に果物や野菜の鮮度保持時間を延長することができる。
【００２７】
特定の好ましい実施形態において、ＵＶランプ４０による第２の波長帯域（１８５ｎｍ）の紫外線によって転化されたオゾンを、さらに強く低温密閉空間の死角に送るために、図４に示すように、鮮度保持装置１’に、２つの送風機５０が配置されてもよい。なかでも、一方の送風機５０が本体ケーシング１０に空気吸込口２０と対応する位置に配置され、他方の送風機５０が本体ケーシング１０に空気吹出口３０と対応する位置に配置される。そのようにして、二重の送風機５０によって強い吸気力及び排気力を生じさせ、オゾンをさらに強くに低温密閉空間の死角に送ることができる。
【００２８】
前記を纏めて、本考案が提供する鮮度保持装置では、二重の波長帯域のＵＶランプ及び強力な送風機を備えることにより、低温密閉空間の内部の空気を強力に吸い込んでから吹き出し、それによって、低温に耐えられる細菌及びウイルスを直接滅菌して、さらに低温に耐えられる細菌やウイルスの繁殖を抑制して、確実に果物や野菜の鮮度保持時間を延長することができる。  
【００２９】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３０】
１、１’：鮮度保持装置
１０：本体ケーシング
１１：内腔
２０：空気吸込口
３０：空気吹出口
４０：ＵＶランプ
５０：送風機
６０：フィルター材
【図１】
0003222910.tif 000003
【図２】
0003222910.tif 000004
【図３Ａ】
0003222910.tif 000005
【図３Ｂ】
0003222910.tif 000006
【図４】
0003222910.tif 000007